(57)【要約】【課題】室内又はクローゼット等における嫌な臭いや湿気等を除去したり、衣料等の害虫による被害を防止したりする機能を有する室内物干し及び収納装置並びに手摺りを提供する。【解決手段】薬剤を収納する薬剤収納体を保持するための保持部を備えたり、薬剤収納体を着脱可能に取り付けるための取付部を備えたり、薬剤収納体に着脱可能に取り付けるための取付部を備えるようにした。【選択図】      図１
2006296859.tif 000002
【特許請求の範囲】
【請求項１】
薬剤を収納する薬剤収納体を保持するための保持部を備えていることを特徴とする室内物干し。
【請求項２】
薬剤を収納する薬剤収納体であって、室内物干しの支柱に着脱可能な取付部を有することを特徴とする室内物干し用薬剤収納体。
【請求項３】
棒状体を有する物品収納装置であって、棒状体は、薬剤を収納する薬剤収納体を着脱可能に取り付けるための取付部を備えていることを特徴とする物品収納装置。
【請求項４】
壁にブラケットにより取り付けられる手摺り本体と、薬剤を収納する薬剤収納体とを備え、薬剤収納体は、手摺り本体又はブラケットに着脱可能な取付部を有することを特徴とする手摺り。
【発明の詳細な説明】
【技術分野】
【０００１】
本発明は、芳香、消臭、脱臭、除湿、防虫等の付加価値機能を有する室内物干し、物品収納装置、手摺り、並びに、室内物干しに芳香、消臭、脱臭、除湿、防虫等の付加価値機能を付与させる室内物干し用薬剤収納体に関する。
【背景技術】
【０００２】
従来、室内物干しは室内で衣料等の洗濯物を干すものであり、物品収納装置はクローゼット等に生活用品や衣料等の収納物を収納させておくものであり、手摺りは歩行を手助けするためにつかまるものであり、夫々それ以外の機能を有していないのが通例である。
【発明の開示】
【発明が解決しようとする課題】
【０００３】
ところで、近年、建築技術の進化により、いちだんと建物の気密化が進んでいる。それに伴い、室内に洗濯物、タバコ、ペット等の嫌な臭いやカビ、ダニ等の発生原因となる湿気等がこもり易く、室内に居る人が不快感を招くという問題があった。また、クローゼット内においても、衣料害虫等が生息し易く、衣料害虫等の被害を受けるという問題があった。
【０００４】
従来の室内物干しは室内で衣料等の洗濯物を干すだけであり、また、従来の物品収納装置は生活用品や衣料等の収納物を収納させておくだけであり、更に、従来の手摺りは歩行を手助けするためにつかまるだけであったので、室内又はクローゼット等における嫌な臭いや湿気等を除去したり、衣料等の害虫による被害を防止する機能は無かった。
【０００５】
そこで、本発明は、上記課題を解決するために、室内又はクローゼット等における嫌な臭いや湿気等を除去したり、衣料等の害虫による被害を防止したりする機能を有する室内物干し、物品収納装置、手摺り、並びに、室内物干しに芳香、消臭、脱臭、除湿、防虫等の付加価値機能を付与させる室内物干し用薬剤収納体を提供せんとするものである。
【課題を解決するための手段】
【０００６】
上記目的を達成するため、本発明の室内物干しは、薬剤を収納する薬剤収納体を保持するための保持部を備えたことを特徴とする。
【０００７】
本発明の室内物干しでは、薬剤収納体に薬剤として芳香剤、消臭剤、脱臭剤や除湿剤等を収納することにより、室内の嫌な臭いや湿気等を除去できる。従って、今までは単に室内で衣料等の洗濯物を干すものとしてだけ使用されてきた室内物干しに芳香作用、消臭作用、脱臭作用や除湿作用等を持たせることができるという効果がある。
【０００８】
また、本発明の室内物干し用薬剤収納体は、薬剤を収納する薬剤収納体であって、室内物干しの支柱又は支持スタンドに着脱可能な取付部を有することを特徴とする。
【０００９】
本発明の室内物干し用薬剤収納体では、室内物干しに取り付けるとともに、薬剤として芳香剤、消臭剤、脱臭剤や除湿剤等を収納することにより、室内の嫌な臭いや湿気等を除去できる。従って、今までは単に室内で衣料等の洗濯物を干すものとしてだけ使用されてきた室内物干しに芳香作用、消臭作用、脱臭作用や除湿作用等を持たせることができるという効果がある。また、室内物干しの支柱又は支持スタンドに着脱可能に取り付けられることで、薬剤が無くなったときには、室内物干しの支柱又は支持スタンドから取り外して薬剤を容易に補充することができるという効果がある。
【００１０】
また、本発明の物品収納装置は、棒状体を有する物品収納装置であって、薬剤を収納する薬剤収納体は、棒状体に着脱可能に取り付けられる取付部を有することを特徴とする。
【００１１】
本発明の物品収納装置では、薬剤収納体に薬剤として芳香剤、消臭剤、脱臭剤や除湿剤や防虫剤等を収納することにより、物品収納装置周辺の嫌な臭いや湿気等を除去できたり、衣料等の害虫による被害を防止できる。従って、今までは単にクローゼット等で生活用品や衣料等の収納物を収納させておくものとしてだけ使用されてきた物品収納装置に芳香作用、消臭作用、脱臭作用や除湿作用や防虫作用等を持たせることができるという効果がある。また、薬剤収納体を物品収納装置の棒状体に着脱可能に取り付けたことで、薬剤収納体に薬剤が無くなったときには、薬剤収納体を取り外して薬剤を容易に補充することができるという効果がある。
【００１２】
また、本発明の手摺りは、壁にブラケットにより取り付けられる手摺り本体と、薬剤を収納する薬剤収納体とを備え、薬剤収納体は手摺り本体又はブラケットに着脱可能に取り付けられる取付部を有することを特徴とする。
【００１３】
本発明の手摺りでは、薬剤収納体に薬剤として芳香剤、消臭剤、脱臭剤や除湿剤等を収納することにより、手摺り周辺の嫌な臭いや湿気等を除去できる。従って、今までは単に歩行を手助けするためにつかまるものとしてだけ使用されてきた手摺りに芳香作用、消臭作用、脱臭作用や脱臭作用等を持たせることができるという効果がある。また、薬剤収納体を手摺り本体に着脱可能に取り付けられることで、薬剤収納体に薬剤が無くなったときには、薬剤収納体を取り外して薬剤を容易に補充することができるという効果がある。
【発明の効果】
【００１４】
本発明によれば、室内物干し及び収納装置並びに手摺りに芳香作用、消臭作用、脱臭作用や除湿作用や防虫作用等を持たせることができ、室内又はクローゼット等における嫌な臭いや湿気等を除去したり、衣料等の害虫による被害を防止して快適な住宅環境が得られる。
【発明を実施するための最良の形態】
【００１５】
本発明に係る実施形態について、図面に基づき以下に具体的に説明する。図１は、本発明の室内物干しの実施形態の一例を示したものである。この室内物干し１Ａは、支柱２の上端部に上側物干し部３を配設するとともに、支柱２の中間部に下側物干し部４を配設し、支柱２の下端を支持スタンド５に支持させて基本的構成が形成されている。
【００１６】
支柱２は、支持スタンド５から立設された下側支柱２ａと、この下側支柱２ａの上部に回転機構を内蔵した連結手段２ｂを介して連結された上側支柱２ｃとからなり、上部支柱２ｃが回転機構を内蔵した連結手段２ｂによって下側支柱２ａに対し回転自在である。
【００１７】
上側物干し部３は、上側支柱２ｃの上端部に十字状の集束部材３ａが取り付けられており、この集束部材３ａの４ヶ所の各突出部に夫々物干し杆３ｂが起伏自在に枢着されている。各物干し杆３ｂにはハンカチや靴下等の小物洗濯物を吊り下げるための複数のピンチ３ｃが垂れ下がり状に吊着してある。
【００１８】
下側物干し部４は、上側支柱２ｃの下端部分に円盤状の集束部材４ａが回転自在に取り付けられており、この集束部材４ａの周縁部に複数本の物干し杆４ｂが放射状に配列されて起伏自在に枢着されている。各物干し杆４ｂにはタオルやシャツ等の洗濯物を吊り下げたハンガー等を引っ掛けるための複数のフック４ｃが取着してある。
【００１９】
支持スタンド５は、４本の脚５ａと、各脚５ａを回転可能な状態で止着している脚固定部材５ｂとからなっている。支持スタンド５は、各脚５ａが支柱２に対し開閉自在になっており、各脚５ａの基端を脚固定部材５ｂに枢着し、枢着した部分よりやや先端よりの部分を脚固定部材５ｂの下端部分に当接して各脚５ａが必要以上に開くのを防止する構造となっている。
【００２０】
本発明の室内物干し１Ａは、支柱２の下側支柱２ａの任意の位置に皿状の保持体６を係止し、この保持体６に芳香剤、消臭剤、脱臭剤、除湿剤等の所定の薬剤を収納する薬剤収納体７を載置保持させる。
【００２１】
保持体６は、図２に示すように、その背面側に円筒状の係止部６ａを一体に形成し、この係止部６ａを支柱２の下側支柱２ａに摺動自在に外挿している。保持体６の係止部６ａには係止ネジ８が螺合されており、この係止ネジ８を締め付けてその先端を下側支柱２ａに食い込ませることによって保持体６を支柱２の下側支柱２ａの任意の位置に係止させる。
【００２２】
薬剤収納体７は、所定の位置に複数の通気孔（図示省略）が設けられており、この通気孔から薬剤が外部に揮散して芳香作用、消臭効果、脱臭作用等が得られたり、除湿剤による除湿作用が得られる。
【００２３】
本発明の室内物干し１Ａでは、支柱２の下側支柱２ａの任意の位置に皿状の保持体６を係止し、この保持体６に芳香剤、消臭剤、脱臭剤、除湿剤等の所定の薬剤を収納する薬剤収納体７を保持させたことで、室内の洗濯物、タバコ、ペット等の嫌な臭いやカビ、ダニ等の発生原因となる湿気等を除去でき、快適な室内環境を得ることができる。
【００２４】
図３は、本発明の室内物干しの実施形態の第２の例を示したものであり、その基本的構成部分は図１に示す室内物干し１Ａと同様であるので、同一又は相当する部分に同一の符号を付して説明は省略する。この室内物干し１Ｂは、支柱２の下側支柱２ａの任意の位置に保持体８を係止し、この保持体８に所定の薬剤を収納する薬剤収納体９を収容保持させる。
【００２５】
保持体８は、図４に示すように、薬剤収納体９を収容する楕円形カップ形状をなしたカップ状本体８１と、このカップ状本体８１を保持しつつ支柱２の下側支柱２１の任意の位置に係止する係止部材８２とからなっている。カップ状本体８１は、下端部に複数の通気孔（図示省略）を設けるとともに、上端部に形成されたたフランジ部８１ａの所定の位置に下方に向けて開口するに凹部８１ｂを設けている。係止部材８２は、円筒状の係止部８２ａに係止ネジ８２ｂを螺合し、この係止ネジ８２ｂを締め付けてその先端を下側支柱２ａに食い込ませることによって支柱２の下側支柱２ａの任意の位置に係止させる。係止部材８２は係止部８２ａの側面に保持片８２ｃを突設し、この保持片８２ｃの上面に上方に向けて突出する凸部８２ｄを設けており、この凸部８２ｃに上方からカップ状本体８１の凹部８１ｂを嵌合することによってカップ状本体８１を保持しつつ支柱２の下側支柱２１の任意の位置に係止している。薬剤収納体９の所定の位置には複数の通気孔（図示省略）が設けられており、この通気孔から薬剤が外部に揮散して芳香作用、消臭効果、脱臭作用等が得られたり、除湿剤による除湿作用が得られる。
【００２６】
本発明の室内物干し１Ｂでは、支柱２の下側支柱２ａの任意の位置に保持体８を係止し、この保持体８に所定の薬剤を収納する薬剤収納体９を保持させたことで、前述した室内物干し１Ａと同様に室内の洗濯物、タバコ、ペット等の嫌な臭いやカビ、ダニ等の発生原因となる湿気等を除去でき、快適な室内環境を得ることができる。
【００２７】
図５は、本発明の室内物干し用薬剤収納体の実施形態の一例を取り付けた室内物干し１Ｃを示したものであり、その基本的構成部分は図１及び図３に示す室内物干し１Ａ及び１Ｂと同様であるので、同一又は相当する部分に同一の符号を付して説明は省略する。この室内物干し用薬剤収納体１０は、室内物干し１Ｃの支持スタンド５の脚固定部材５ａに着脱可能に取り付けられている。
【００２８】
室内物干し用薬剤収納体１０は、例えば電球状に形成されており、その上端部分に室内物干し１Ｃの支持スタンド５の脚固定部材５ａに着脱可能に取り付けるための取付部であるネジ部（図示省略）を備えており、このネジ部を支持スタンド５の脚固定部材５２に設けたネジ孔（図示省略）にねじ込ませることにより、支持スタンド５の脚固定部材５２に着脱可能に取り付けられる。室内物干し用薬剤収納体１０の所定の位置には複数の通気孔（図示省略）が設けられており、この通気孔から薬剤が外部に揮散して芳香作用、消臭効果、脱臭作用等が得られたり、除湿剤による除湿作用が得られる。
【００２９】
本発明の室内物干し用薬剤収納体１０では、室内物干し１Ｃの支持スタンド５の脚固定部材５ａに取り付けられることで、室内物干し１Ｃに芳香作用、消臭作用、脱臭作用や除湿作用等を持たせることができ、室内の洗濯物、タバコ、ペット等の嫌な臭いやカビ、ダニ等の発生原因となる湿気等を除去できて快適な室内環境を得ることができる。また、室内物干し用薬剤収納体１０では、室内物干し１Ｃの支持スタンド５の脚固定部材５１ａに着脱可能に取り付けられることで、薬剤がなくなった場合には、室内物干し１Ｃの支持スタンド５の脚固定部材５１ａから取り外して容易に薬剤を補充することができる。
【００３０】
図６は、本発明の室内物干し用薬剤収納体の実施形態の第２の例を取り付けた室内物干し１Ｄを示したものであり、その基本的構成部分は図１、図３及び図５に示す室内物干し１Ａ，１Ｂ及び１Ｃと同様であるので、同一又は相当する部分に同一の符号を付して説明は省略する。この室内物干し用薬剤収納体１１は室内物干し１Ｄの支柱２の下側支柱２ａの任意の位置に着脱可能に取り付けられている。
【００３１】
室内物干し用薬剤収納体１１は、図７に示すように、内部に薬剤を収納可能な２つの２重半円筒状の半割り収納体１１ａ，１１ａからなり、両半割り収納体１１ａ，１１ａの一方の側縁同士が薄肉フランジ１１ｂを介して開閉可能に一体に結合するとともに、両半割り収納体１１ａ，１１ａの非結合側の対向面に両半割り体１１ａ，１１ａを結合するマジックテープ（登録商標）等の結合手段１１ｃを設けている。室内物干し用薬剤収納体１１は、２つの半割り収納体１１ａ，１１ａを下側支柱２ａにその周囲を包囲するように巻き付け状態に挟み、２つの半割り収納体１１ａ，１１ａの非結合側を結合手段１１ｃにより結合することにより、室内物干し１Ｄの支柱２の下側支柱２ａの任意の位置に着脱可能に取り付けられる。室内物干し用薬剤収納体１１は、所定の位置に複数の通気孔（図示省略）を設けており、この通気孔から薬剤が外部に揮散して芳香作用、消臭効果、脱臭作用等が得られたり、除湿剤による除湿作用が得られる。
【００３２】
本発明の室内物干し用薬剤収納体１１では、室内物干し１Ｄの支柱２の下側支柱２ａの任意の位置に薬剤収納体１１を取り付けられることで、室内物干し１Ｄに芳香作用、消臭作用、脱臭作用や除湿作用等を持たせることができ、室内の洗濯物、タバコ、ペット等の嫌な臭いやカビ、ダニ等の発生原因となる湿気等を除去でき、快適な室内環境を得ることができる。また、室内物干し用薬剤収納体１１では、室内物干し１Ｄの支柱２の下側支柱２ａに着脱可能に取り付けられることで、薬剤がなくなった場合には、室内物干し１Ｄの支柱２から取り外して容易に薬剤を補充することができる。
【００３３】
図８は、本発明の物品収納装置の実施形態のクローゼット収納ユニットの一例を示したものである。このクローゼット収納ユニット１２Ａは、複数の垂直支持棒１３と、複数の水平支持棒１４及び載置棚１５とを組み合わせて基本的構成が形成されている。垂直支持棒１３はクローゼット１６の中央上方に架設されるハンガーパイプ１７とクローゼット１６の底面１６ａとの間に立設され、水平支持棒１４及び載置棚１５は隣接する垂直支持棒１３間の任意の位置に架設される。
【００３４】
本発明のクローゼット収納ユニット１２Ａは、垂直支持棒１３の任意の位置に保持体１７を係止し、この保持体１７に所定の薬剤を収納する薬剤収納体１８を収容保持させる。保持体１７及び薬剤収納体１８は図３に示す室内物干し１Ｂの保持体８及び薬剤収納体９と同様のものであるので説明は省略する。
【００３５】
本発明のクローゼット収納ユニット１２Ａでは、垂直支持棒１３の任意の位置に保持体１７を係止し、この保持体１７に薬剤収納体１８を保持させたことで、クローゼット内の嫌な臭いや湿気等を除去できたり、クローゼット内の衣料等の害虫による被害を防止でき、クローゼット内の収納物の収納環境を良好に維持することができる。
【００３６】
図９は、本発明の物品収納装置の実施形態のクローゼット収納ユニットの第２の例を示したものであり、基本的構成部分は図８に示すクローゼット収納ユニット１２Ａと同様であるので、同一又は相当する部分に同一の符号を付して説明は省略する。このクローゼット収納ユニット１２Ｂは、垂直支持棒１３の任意の位置に所定の薬剤を収納するボックス状の薬剤収納体１９を係止保持させる。
【００３７】
薬剤収納体１９は、図１０に示すように、内部に薬剤を収容できるように上面及び前面にかけて開閉可能な蓋体１９ａを有するとともに、内部に収納した薬剤を外部に揮散できるように、又は内部に収納した薬剤に湿気を吸収できるように下面に多数の孔（図示省略）を有する。薬剤収納体１９は、背面側に円筒状の係止部１９ｂを一体に形成し、この係止部１９ｂを垂直支持棒１３に摺動自在に外挿している。薬剤収納体１９の係止部１３には係止ネジ２０が螺合されており、この係止ネジ２０を締め付けてその先端を垂直支持棒１３に食い込ませることにより、薬剤収納体１９を垂直支持棒１３の任意の位置に係止させる。
【００３８】
本発明のクローゼット収納ユニット１２Ｂでは、垂直支持棒１３の任意の位置に薬剤収納体１９を保持させたことで、前述したクローゼット収納ユニット１２Ａと同様にクローゼット内の嫌な臭いや湿気等を除去できたり、クローゼット内の衣料等の害虫による被害を防止でき、クローゼット内の収納物の収納環境を良好に維持することができる。
【００３９】
図１１は、本発明の物品収納装置の実施形態のクローゼット収納ユニットの第３の例を示したものであり、基本的構成部分は図８及び図９に示すクローゼット収納ユニット１２Ａ及び１２Ｂと同様であるので、同一又は相当する部分に同一の符号を付して説明は省略する。このクローゼット収納ユニット１２Ｃは、垂直支持棒１３の任意の位置に保持体２１を着脱自在に取り付け、この保持体２１に所定の薬剤を収納する薬剤収納体２２を着脱自在に取り付ける。
【００４０】
保持体２１は、図１２に示すように、前面側が開口する横断面がコ字状の第１の取付部２１ａと、この第１の取付部２１ａの背面に一体に形成された背面側が開口する横断面がＣ字状の第２の取付部２１ｂとからなる。第１の取付部２１ａは開口部の幅を薬剤収納体２２の幅より僅かに狭く、第２の取付部２１ｂは開口部の幅を垂直支持棒１３の外径より僅かに狭くしてあり、第１の取付部２１ａに薬剤容器２２を嵌挿して弾性的に係止することで薬剤収納体２２を着脱可能に取り付け、第２の係止部２１ｂを垂直支持棒１３に嵌挿して弾性的に係止することで垂直支持棒１３に着脱可能に取り付ける。薬剤収納体２２は、前面側の所定の位置に複数の通気孔（図示省略）を設けており、この通気孔から薬剤が外部に揮散して芳香作用、消臭効果、脱臭作用等が得られたり、除湿剤による除湿作用が得られる。
【００４１】
本発明のクローゼット収納ユニット１２Ｃでは、垂直支持棒１３の任意の位置に保持体２１を取り付け、この保持体２１に所定の薬剤を収納する薬剤収納体２２を着脱自在に取り付けたことで、前述したクローゼット収納ユニット１２Ａ及び１２Ｂと同様にクローゼット内の嫌な臭いや湿気等を除去できたり、クローゼット内中の衣料等の害虫による被害を防止でき、クローゼット内の収納物の収納環境を良好に維持することができる。
【００４２】
図１３は、本発明の物品収納装置の実施形態の洗濯機ラックの一例を示したものである。この洗濯機ラック２３は、洗濯機２４の両側に位置する支持部材としての支柱２５と、支柱２５間に架設され洗濯機２４の上方に配設される載置棚２６と、支柱２５の下端を支えるフレーム２７とから基本的構成が形成されている。この洗濯機ラック２３は、支柱２５の任意の位置に保持体２８を着脱可能に取り付け、この保持体２８に所定の薬剤を収納する薬剤収納体２９を着脱自在に取り付ける。保持体２８及び薬剤収納体２９は、図１１に示すクローゼット収納１２Ｃの保持体２１及び薬剤収納体２２と同様のものであるので説明は省略する。
【００４３】
本発明の洗濯機ラック２３では、支柱２５の任意の位置に保持体２８を着脱可能に取り付け、この保持体２８に所定の薬剤を収納する薬剤収納体２９を着脱自在に取り付けたことで、洗濯機２４周辺の嫌な臭いや湿気等を除去でき、洗濯機２４周辺の環境を良好に維持することができる。
【００４４】
図１４は、本発明の物品収納装置の実施形態の圧縮ラックの一例を示したものである。この圧縮ラック３０は、トイレ等の壁面３１間に２本の水平支持棒３２を前後に突っ張り状態に架設し、前後の水平支持棒３２間に載置棚３３を架設して基本的構成が形成されている。この圧縮ラック３０は、水平支持棒３２の任意の位置に保持体３４を係止し、この保持体３４に所定の薬剤を収納する薬剤収納体３５を収容保持させる。
【００４５】
保持体３４は、薬剤収納体３５を収容する楕円形カップ形状をなしたカップ状本体３４１と、このカップ状本体３４１を保持しつつ水平支持棒３２の任意の位置に係止する係止部材３４２とからなっている。カップ状本体３４１は、下端部に複数の通気孔（図示省略）を設けるとともに、上端部に形成された鍔部３４１ａの所定の位置に下方に向けて開口するに嵌合凹部３４１ｂを設けている。係止部材３４２は、円筒状の係止部３４２ａに係止ネジ３４２ｂを螺合し、この係止ネジ３４２ｂを締め付けてその先端を水平支持棒３２に食い込ませることによって水平支持棒３２の任意の位置に係止されている。係止部材３４２は、係止部３４２ａの下面にL字状の保持棒３４２ｃを吊設し、この保持棒３４２ｃの先端部に上方に向けて突出する凸部３４２ｂを設けており、この凸部３４２bに上方からカップ状本体３４１の嵌合凹部３４１ｂを嵌合することによってカップ状本体３４１を保持しつつ水平支持棒３２の任意の位置に係止している。薬剤収納体３５の所定の位置には複数の通気孔（図示省略）が設けられており、この通気孔から薬剤が外部に揮散して芳香作用、消臭効果、脱臭作用等が得られたり、除湿剤による除湿作用が得られる。
【００４６】
本発明の圧縮ラック３０では、水平支持棒３２の任意の位置に保持体３４を係止し、この保持体３４に所定の薬剤を収納する薬剤収納体３５を収容保持させたことで、トイレ内の嫌な臭いや湿気等を除去でき、トイレの環境を良好に維持することができる。
【００４７】
図１５は、本発明の手摺りの実施形態の一例を示したものである。この手摺り３６は、丸棒状又はパイプ状の木材、プラスチック材又は合成樹脂被覆金属材料等からなる手摺り本体３７をブラケット３８により建物等の壁３９の所定の高さに取り付けて構成されている。ブラケット３８は、建物等の壁３９への取付部３８ａと、この取付部３８ａの上端部から壁３９から離れる方向に延びる水平部３８ｂと、この水平部３８ｂの先端部から上方に向けて延びる支持部３８ｃとを有し、取付部３８ａをボルト４０により建物等の壁３９に取り付けるとともに、支持部３８ｃの上端部に手摺り本体３７を支持している。
【００４８】
本発明の手摺り３６は、ブラケット３８に薬剤収納体４１を着脱自在に取り付けている。薬剤収納体４１は、所定の薬剤を収納する略３分の２円筒状の本体４１ａと、本体４１ａの開口部に嵌着される略３分の１円筒状の蓋体４１ｂとからなり、蓋体４１ｂの上端部にブラケット３８の水平部３８ｂに着脱可能に取り付ける取付手段４１ｃを備えている。薬剤収納体４１は、蓋体４１ｂの所定の位置に複数の通気孔４１ｄが設けられており、この通気孔４１ｄから薬剤が外部に揮散して芳香作用、消臭作用、脱臭作用等を与えたり、除湿剤による除湿効果が与えられる。
【００４９】
本発明の手摺り３６では、ブラケット３８に薬剤収納体４１を着脱自在に取り付けたので、手摺り３６周辺の嫌な臭いや湿気等を除去でき、手摺り３６周辺の環境を良好に維持することができる。
【００５０】
尚、前述した手摺り３６は、ブラケット３８に薬剤収納体４１を着脱可能に取り付けているが、手摺り本体３７に薬剤収納体４１を着脱可能に取り付けることもできる。
【図面の簡単な説明】
【００５１】
【図１】本発明の室内物干しの実施形態の一例を示す説明図である。
【図２】図１に示す室内物干しにおける要部詳細面である。
【図３】本発明の室内物干しの実施形態の第２の例を示す説明図である。
【図４】図３に示す室内物干しにおける要部詳細面で、（ａ）は一部を断面した側面図、（ｂ）は平面図である。
【図５】本発明の室内物干し用薬剤収納体の実施形態の一例を示す説明図である。
【図６】本発明の室内物干し用薬剤収納体の実施形態の第２の例を示す説明図である。
【図７】図６に示す室内物干し用薬剤収納体の横断面図である。
【図８】本発明の収納装置の実施形態であるクローゼット収納ユニットの一例を示す説明図である。
【図９】本発明の収納装置の実施形態のクローゼット収納ユニットの第２の例を示す説明図である。
【図１０】図９に示すクローゼット収納ユニットにおける薬剤収納体の詳細図で、（ａ）は側面図、（ｂ）は平面図である。
【図１１】本発明の収納装置の実施形態のクローゼット収納ユニットの第３の例を示す説明図である。
【図１２】図１１に示すクローゼット収納ユニットにおける保持体の詳細図で、（ａ）は側面図、（ｂ）は平面図である。
【図１３】本発明の収納装置の実施形態である洗濯機ラックの一例を示す説明図である。
【図１４】本発明の収納装置の実施形態である圧縮ラックの一例を示す説明図で、（ａ）は一部を断面した要部側面図、（ｂ）は要部平面図である。
【図１５】本発明の手摺り実施形態の一例を示す説明図で、（ａ）は薬剤収納体の取付前の状態を示す斜視図、（ｂ）は薬剤収納体の取付後の斜視図である。
【符号の説明】
【００５２】
１Ａ…室内物干し、２…支柱、３…上側物干し部、４…下側物干し部、５…支持スタンド、６…保持体、７…薬剤収納体、１Ｂ…室内物干し、８…保持体、９…薬剤収納体、１Ｃ…室内物干し、１０…室内物干し用薬剤収納体、１Ｄ…室内物干し、１１…室内物干し用薬剤収納体、１２Ａ…クローゼット収納ユニット、１３…垂直支持棒、１４…水平支持棒、１５載置棚、１７…保持体、１８…薬剤収納体、１２Ｂ…クローゼット収納ユニット、１９…薬剤収納体、１２Ｃ…クローゼット収納ユニット、２１…保持体、２２…薬剤収納体、２３…洗濯機ラック、２４…支柱、２５…載置だな、２６…フレーム、２８…保持体、２９…薬剤収納体、３０…圧縮ラック、３１…水平支持棒、３４…保持体、３５…薬剤収納体、３６…手摺り、３８…手摺り本体、３８…ブラケット、４１…薬剤収納体
【図１】
2006296859.tif 000003
【図２】
2006296859.tif 000004
【図３】
2006296859.tif 000005
【図４】
2006296859.tif 000006
【図５】
2006296859.tif 000007
【図６】
2006296859.tif 000008
【図７】
2006296859.tif 000009
【図８】
2006296859.tif 000010
【図９】
2006296859.tif 000011
【図１０】
2006296859.tif 000012
【図１１】
2006296859.tif 000013
【図１２】
2006296859.tif 000014
【図１３】
2006296859.tif 000015
【図１４】
2006296859.tif 000016
【図１５】
2006296859.tif 000017